(57)【特許請求の範囲】
【請求項１】
予め登録された他端末との間で、無線チャネルを用いてダイレクトにデータを送受信可能な通信端末であって、
コンテンツを取得するためのアクセス先情報を含む情報を受信する受信部と、
前記アクセス先情報を前記他端末と共有するための共有操作を受け付ける操作受付部と、
前記他端末の位置情報を取得し、前記操作受付部が前記共有操作を受け付けた時点以前の所定の期間内の位置情報が、自端末と他端末が同一の位置にあることを示している場合に、前記他端末に対して、前記無線チャネルを用いて前記アクセス先情報を送信する送信制御部と、
を有する、
通信端末。
【請求項２】
予め登録された他端末との間で、無線チャネルを用いてダイレクトにデータを送受信可能な通信端末であって、
コンテンツを取得するためのアクセス先情報を含む情報を受信する受信部と、
前記アクセス先情報を前記他端末と共有するための共有操作を受け付ける操作受付部と、
前記他端末が操作されていることを示す情報を取得し、取得した情報に前記共有操作を受け付けた時点以前の所定の期間内に他端末が操作されていた履歴がある場合に、前記他端末に対して、前記無線チャネルを用いて前記アクセス先情報を送信する送信制御部と、
を有する、
通信端末。
【請求項３】
予め登録された他端末との間で、無線チャネルを用いてダイレクトにデータを送受信可能な通信端末であって、
コンテンツを取得するためのアクセス先情報を含む情報を受信する受信部と、
前記アクセス先情報を前記他端末と共有するための共有操作を受け付ける操作受付部と、
前記アクセス先情報が、過去に前記他端末で閲覧したコンテンツに関連している場合に、前記他端末に対して、前記無線チャネルを用いて前記アクセス先情報を送信する送信制御部と、
を有する、
通信端末。
【請求項４】
前記送信制御部は、前記共有操作を受け付けた時点より以前の所定の期間内に前記他端末と通信した履歴がある場合に、前記アクセス先情報を他端末に対して送信する、
請求項１から３のいずれか１項に記載の通信端末。
【請求項５】
前記送信制御部は、前記アクセス先情報に関連付けられたコンテンツが前記他端末での閲覧に適している場合に、前記アクセス先情報を前記他端末に送信する、
請求項１から４のいずれか１項に記載の通信端末。
【請求項６】
前記他端末の仕様を示す端末情報を記憶する記憶部をさらに有し、
前記送信制御部は、前記アクセス先情報の内容と、前記記憶部に記憶された前記端末情報と、に基づいて、前記アクセス先情報に関連付けられたコンテンツが前記他端末での閲覧に適しているか否かを判定する、
請求項５に記載の通信端末。
【請求項７】
前記他端末の仕様を示す端末情報を記憶する記憶部をさらに有し、
前記送信制御部は、前記アクセス先情報に基づいて取得した前記コンテンツの内容と、前記記憶部に記憶された前記端末情報と、に基づいて、前記アクセス先情報に関連付けられたコンテンツが前記他端末での閲覧に適しているか否かを判定する、
請求項５に記載の通信端末。
【請求項８】
前記送信制御部は、前記他端末と通信可能である場合に、前記アクセス先情報を送信するための条件が満たされているか否かを判定する、
請求項１から７のいずれか１項に記載の通信端末。
【請求項９】
予め登録された他端末との間で、無線チャネルを用いてダイレクトにデータを送受信可能な通信端末のプロセッサを、
コンテンツを取得するためのアクセス先情報を含む情報を受信する受信部、
前記アクセス先情報を前記他端末と共有するための共有操作を受け付ける操作受付部、及び
前記他端末の位置情報を取得し、前記操作受付部が前記共有操作を受け付けた時点以前の所定の期間内の位置情報が、自端末と他端末が同一の位置にあることを示している場合に、前記他端末に対して、前記無線チャネルを用いて前記アクセス先情報を送信する送信制御部、
として機能させるためのプログラム。
【請求項１０】
予め登録された他端末との間で、無線チャネルを用いてダイレクトにデータを送受信可能な通信端末のプロセッサを、
コンテンツを取得するためのアクセス先情報を含む情報を受信する受信部、
前記アクセス先情報を前記他端末と共有するための共有操作を受け付ける操作受付部、及び
前記他端末が操作されていることを示す情報を取得し、取得した情報に前記共有操作を受け付けた時点以前の所定の期間内に他端末が操作されていた履歴がある場合に、前記他端末に対して、前記無線チャネルを用いて前記アクセス先情報を送信する送信制御部、
として機能させるためのプログラム。
【請求項１１】
予め登録された他端末との間で、無線チャネルを用いてダイレクトにデータを送受信可能な通信端末のプロセッサを、
コンテンツを取得するためのアクセス先情報を含む情報を受信する受信部、
前記アクセス先情報を前記他端末と共有するための共有操作を受け付ける操作受付部、及び
前記アクセス先情報が、過去に前記他端末で閲覧したコンテンツに関連している場合に、前記他端末に対して、前記無線チャネルを用いて前記アクセス先情報を送信する送信制御部、
として機能させるためのプログラム。
【発明の詳細な説明】
【技術分野】
【０００１】
本発明は、通信端末及びプログラムに関する。
【背景技術】
【０００２】
従来、ＷｅｂコンテンツにアクセスするためのＵＲＬを含む電子メールを受信した場合に、受信した電子メールを他の端末に転送する技術が知られている（例えば、特許文献１を参照）。
【先行技術文献】
【特許文献】
【０００３】
【特許文献１】国際公開第２００２−０４６９３４号公報
【発明の概要】
【発明が解決しようとする課題】
【０００４】
従来の技術を用いることにより、画像等のように容量が大きいコンテンツを携帯端末がダウンロードすることにより携帯端末の通信料が高額になってしまうことを防ぐことができる。しかしながら、従来の技術においては、携帯端末が受信した電子メールを、携帯電話網及びインターネットを介して電子メールとして転送するので、転送先の端末に届くまでに遅延時間が生じる上に、転送先の端末で電子メールを受信する操作、及びＵＲＬを選択する操作をしなければならなかった。したがって、転送先の端末でコンテンツを閲覧するまでに時間と手間がかかってしまうという問題があった。
【０００５】
そこで、本発明はこれらの点に鑑みてなされたものであり、携帯端末で受信した情報にアクセス先が記載されたコンテンツを他の端末で閲覧しやすくすることを目的とする。
【課題を解決するための手段】
【０００６】
本発明の第１の態様においては、予め登録された他端末との間で、無線チャネルを用いてダイレクトにデータを送受信可能な通信端末であって、コンテンツを取得するためのアクセス先情報を含む情報を受信する受信部と、前記アクセス先情報を前記他端末と共有するための共有操作を受け付ける操作受付部と、前記操作受付部が前記共有操作を受け付けた時点で、前記他端末に前記アクセス先情報を送信するための条件が満たされていると判定した場合に、前記他端末に対して、前記無線チャネルを用いて前記アクセス先情報を送信する送信制御部と、を有する、通信端末を提供する。
【０００７】
前記送信制御部は、例えば、前記共有操作を受け付けた時点より前の所定の期間内に前記他端末と通信した履歴がある場合に、前記アクセス先情報を他端末に対して送信する。
前記送信制御部は、前記他端末の位置情報を定期的に取得し、前記共有操作を受け付けた時点より前の所定の期間内の位置情報が、自端末と他端末が同一の位置にあることを示している場合に、前記アクセス先情報を送信してもよい。
【０００８】
前記送信制御部は、前記他端末が操作されていることを示す情報を定期的に取得し、前記共有操作を受け付けた時点より前の所定の期間内に他端末が操作されていた履歴がある場合に、前記アクセス先情報を前記他端末に送信してもよい。
【０００９】
前記送信制御部は、前記アクセス先情報が、過去に前記他端末で閲覧したコンテンツに関連している場合に、前記アクセス先情報を前記他端末に送信してもよい。
前記送信制御部は、前記アクセス先情報に関連付けられたコンテンツが前記他端末での閲覧に適している場合に、前記アクセス先情報を前記他端末に送信してもよい。
【００１０】
通信端末は、前記他端末の仕様を示す端末情報を記憶する記憶部をさらに有し、前記送信制御部は、前記アクセス先情報の内容と、前記記憶部に記憶された前記端末情報と、に基づいて、前記アクセス先情報に関連付けられたコンテンツが前記他端末での閲覧に適しているか否かを判定してもよい。
【００１１】
また、通信端末は、前記他端末の仕様を示す端末情報を記憶する記憶部をさらに有し、前記送信制御部は、前記アクセス先情報に基づいて取得した前記コンテンツの内容と、前記記憶部に記憶された前記端末情報と、に基づいて、前記アクセス先情報に関連付けられたコンテンツが前記他端末での閲覧に適しているか否かを判定してもよい。
【００１２】
前記送信制御部は、例えば、前記他端末と通信可能である場合に、前記アクセス先情報を送信するための条件が満たされているか否かを判定する。
【００１３】
本発明の第２の態様においては、予め登録された他端末との間で、無線チャネルを用いて情報を共有する方法であって、コンテンツを取得するためのアクセス先情報を含む情報を受信するステップと、前記コンテンツを取得するためのアクセス先情報を、予め登録された他端末と共有するための共有操作を受け付けるステップと、前記共有操作を受け付けた時点で、前記他端末に前記アクセス先情報を送信するための条件が満たされていると判定するステップと、前記他端末と通信可能であると判定した場合に、前記他端末に対して、前記無線チャネルを用いて前記アクセス先情報を送信するステップと、を有する情報共有方法を提供する。
【００１４】
本発明の第３の態様においては、通信端末のコンピュータに、予め登録された他端末との間で、無線チャネルを用いて情報を共有させるためのプログラムであって、コンテンツを取得するためのアクセス先情報を含む情報を受信するステップと、前記コンテンツを取得するためのアクセス先情報を、予め登録された他端末と共有するための共有操作を受け付けるステップと、前記共有操作を受け付けた時点で、前記他端末と無線チャネルを用いてダイレクトに通信可能であるか否かを判定するステップと、前記他端末に前記アクセス先情報を送信するための条件が満たされていると判定した場合に、前記他端末に対して、前記無線チャネルを用いて前記アクセス先情報を送信するステップと、を実行させるためのプログラムを提供する。
【００１５】
本発明の第４の態様においては、予め登録された第１通信端末と第２通信端末との間で、無線チャネルを用いて情報を共有するための通信システムであって、前記第１通信端末は、コンテンツを取得するためのアクセス先情報を含む情報を受信する受信部と、前記アクセス先情報を前記第２通信端末と共有するための共有操作を受け付ける操作受付部と、前記操作受付部が前記共有操作を受け付けた時点で、前記第２通信端末に前記アクセス先情報を送信するための条件が満たされている場合に、前記第２通信端末に対して、前記無線チャネルを用いて前記アクセス先情報を送信する送信制御部と、を有し、前記第２通信端末は、前記第１通信端末が送信した前記アクセス先情報を受信する受信制御部と、前記受信制御部が受信した前記アクセス先情報に対応するコンテンツを取得する取得部と、を有する、通信システムを提供する。
【発明の効果】
【００１６】
本発明によれば、携帯端末で受信した情報にアクセス先が記載されたコンテンツを他の端末で閲覧しやすくすることができるという効果を奏する。
【図面の簡単な説明】
【００１７】
【図１】第１の実施形態に係る通信システムの構成を示す。
【図２】通信端末１及び通信端末２の動作の概要を説明するための図である。
【図３】通信端末１の構成を示す図である。
【図４】通信端末２の構成を示す図である。
【図５】共有操作をする際の動作フローチャートである。
【発明を実施するための形態】
【００１８】
図１は、本実施形態に係る通信システムＳの構成を示す図である。通信システムＳは、無線通信回線Ｗを介して互いにデータを直接送受信することができる通信端末１及び通信端末２を含んでいる。無線通信回線Ｗは、近距離でのデータ送受信に適した無線通信方式が用いられる無線チャネルであり、例えばBLE（Bluetooth （登録商標）Low Energy）である。通信端末１及び通信端末２は、タブレット、スマートフォン及びコンピュータ等のように、通信機能及び表示機能を有する端末である。図１において、通信端末１が携帯電話であり、通信端末２がタブレットである例を示しているが、通信端末１及び通信端末２は、通信機能及び表示機能を有する電子機器であれば任意の電子機器でよい。
【００１９】
通信端末１及び通信端末２は、携帯電話網及びインターネット等のネットワークを介して、サーバ３と通信できる。サーバ３は、テキスト、画像及び動画等のコンテンツを格納しているコンテンツサーバである。通信端末１及び通信端末２は、コンテンツを取得するためのアクセス先情報をサーバ３に送信することにより、サーバ３に格納されたコンテンツを取得して表示することができる。
【００２０】
通信端末１は、表示部１２を有している。同様に、通信端末２は、表示部２２を有している。通信端末１及び通信端末２は、互いの位置関係が所定の条件を満たす場合に、互いの識別情報（以下、「端末ＩＤ」という）を取得して、他方の端末ＩＤを、内部の記憶媒体に登録することによりペアリングする。その後、通信端末１及び通信端末２は、無線通信回線Ｗを介して互いにデータを送受信できる。
【００２１】
図２は、通信端末１及び通信端末２の動作の概要を説明するための図である。図２（ａ）は、通信端末１が、受信したメールを表示部１２に表示している状態を示している。受信したメールには、コンテンツにアクセスするためのアクセス先情報Ｃが含まれている。アクセス先情報Ｃは、コンテンツが格納されている場所を示す情報である。アクセス先情報Ｃは、例えば、コンテンツをダウンロード可能なウェブサイトのＵＲＬ又はコンテンツを格納しているファイルサーバのパス名である。図２（ａ）においては、アクセス先情報Ｃとして、コンテンツが格納されているＷｅｂサイトのＵＲＬ（Uniform Resource Locator）が表示されているが、アクセス先情報Ｃは、コンテンツにアクセスするための情報であれば、任意の情報でよい。
【００２２】
通信端末１は、アクセス先情報Ｃが選択されると、図２（ｂ）に示すように、通信端末２にコンテンツを表示するかどうかを入力するための画面を表示する。
図２（ｂ）の画面において、通信端末２でコンテンツを表示する旨の選択がされると、
通信端末１は、アクセス先情報Ｃを通信端末２に送信する。データを受信した通信端末２は、アクセス先情報Ｃに対応するサーバ３にアクセスして、図２（ｃ）に示すようにコンテンツを表示する。
【００２３】
通信端末１及び通信端末２の所有者は任意であるが、本実施形態は、従来の技術と異なり、一人のユーザが通信端末１及び通信端末２の両方を所有し、状況や用途に応じて通信端末１と通信端末２とを使い分けるという用途に好適である。通信端末１及び通信端末２が上記のように連動することで、通信端末１と通信端末２を所有するユーザは、表示性能が低い通信端末１でＵＲＬを含む電子メールを受信した場合に、簡単な操作で、表示性能が高い通信端末２で、ＵＲＬに対応するコンテンツを大きく表示して閲覧することが可能になる。したがって、ユーザは、コンテンツを快適に閲覧することができる。
【００２４】
［通信端末１の構成］
図３は、通信端末１の構成を示す図である。通信端末１は、操作部１１と、表示部１２と、通信部１３と、記憶部１４と、制御部１５とを有する。制御部１５は、操作受付部１５１と、表示制御部１５２と、受信制御部１５３と送信制御部１５４を有する。
【００２５】
操作部１１は、ユーザが操作をするデバイスである。操作部１１は、例えば、ボタンやタッチパネルである。
表示部１２は、情報を表示するディスプレイである。表示部１２は、例えば、アクセス先情報Ｃを選択するための画面、及びコンテンツを通信端末２に表示させるかどうかを確認するための画面を表示する。
【００２６】
通信部１３は、例えば、ＢＬＥの電波を送信及び受信する無線ユニットである。通信部１３は、他端末（本明細書においては通信端末２）が送信する電波を受信し、受信した電波により送信されたデータを抽出して受信制御部１５３に入力する。また、通信部１３は、通信端末２から受信した電波の強度を示す受信強度情報を出力する。さらに、通信部１３は、送信制御部１５４から入力された送信データを電波に乗せて送信する。
【００２７】
記憶部１４は、ＲＯＭ（Read Only Memory）及びＲＡＭ（Random Access Memory）を含む記録媒体である。記憶部１４は、制御部１５が実行するプログラム、及び制御部１５がプログラムを実行する際に用いるデータを記憶する。
【００２８】
制御部１５は、例えばＣＰＵ（Central Processing Unit）である。制御部１５は、記憶部１４に記憶されたプログラムを実行することにより、操作受付部１５１、表示制御部１５２、受信制御部１５３及び送信制御部１５４として機能する。
【００２９】
操作受付部１５１は、操作部１１を介して、コンテンツを取得するためのアクセス先情報Ｃを他端末と共有するための共有操作を受け付ける。
また、共有操作は、アクセス先情報Ｃに対応するコンテンツを通信端末２でも閲覧できるようにするための操作である。例えば、通信端末１が、アクセス先情報Ｃが含まれる電子メール情報、画像情報等の情報を受信した場合、受信した情報に含まれるアクセス先情報Ｃを選択する操作は、共有操作である。通信端末１においてアクセス先情報Ｃのコンテンツを表示させる場合と、通信端末２においてアクセス先情報Ｃのコンテンツを表示させる場合とを区別するために、通信端末１は、アクセス先情報Ｃが選択された状態で複数回キーが押された場合に、共有操作が行われたと判定してもよい。
【００３０】
また、通信端末１が、受信した情報に含まれているアクセス先情報Ｃを選択する操作が行われたことに応じて、アクセス先情報Ｃを共有することを確認するための共有確認ボタンを表示部１２に表示する場合、操作受付部１５１は、共有確認ボタンをタッチする操作を共有操作として受け付けてもよい。
【００３１】
表示制御部１５２は、表示部１２の表示画面のデータを生成し、生成したデータを表示部１２に入力することにより、表示部１２の表示内容を制御する。表示制御部１５２は、コンテンツを取得するためのアクセス先情報Ｃを他端末と共有するための共有操作を受け付ける画面を表示部１２に表示することを制御する。表示制御部１５２は、操作部１１で共有操作が行われたことの通知を操作受付部１５１から受けたことに応じて、共有することを確認するための共有確認ボタンを表示部１２に表示させる。
【００３２】
受信制御部１５３は、通信部１３を介して、通信端末２が送信したデータを受信する。受信制御部１５３は、例えば、送信制御部１５４がアクセス先情報Ｃを送信したことに対する通信端末２からの応答情報を受信する。受信制御部１５３は、応答情報を受信すると、アクセス先情報Ｃの送信が完了したことを、表示制御部１５２を介して、表示部１２に表示させる。
【００３３】
送信制御部１５４は、操作受付部１５１が共有操作を受け付けた時点で、通信端末２にアクセス先情報Ｃを送信するための条件（以下、送信条件という場合がある）が満たされている場合に、アクセス先情報Ｃを通信端末２に対して送信する。送信条件は、通信端末２においてユーザがコンテンツを閲覧できる可能性が高いか否かを判定するための条件である。送信条件の詳細については、後述する。
【００３４】
送信制御部１５４は、通信端末２と通信可能である場合に、送信条件が満たされているか否かを判定する。送信制御部１５４は、通信端末２と通信可能であるか否かを判定するために、例えば、他の通信端末を探索するために用いられるアドバタイジング・チャネルを用いて、アドタイズメント・パケットを送信する。送信制御部１５４は、アドタイズメント・パケットを送信してから所定の時間が経過するまでの間に、受信制御部１５３が通信端末２からコネクション・リクエスト・パケットを受信した場合に、通信端末２と通信可能であると判定して、送信条件が満たされているか否かを判定する。送信制御部１５４は、通信部１３から入力される受信強度情報が所定の値以上であることを条件として、通信可能であると判定してもよい。
【００３５】
［通信端末２の構成］
図４は、通信端末２の構成を示す図である。通信端末２は、操作部２１と、表示部２２と、通信部２３と、記憶部２４と、制御部２５とを有する。制御部２５は、操作受付部２５１と、表示制御部２５２と、受信制御部２５３と送信制御部２５４を有する。
【００３６】
操作部２１は、ユーザが操作をするデバイスである。操作部２１は、例えばタッチパネルである。
表示部２２は、情報を表示するディスプレイである。表示部２２は、例えば、アクセス先情報Ｃに対応するサーバからダウンロードしたコンテンツを表示する。
【００３７】
通信部２３は、ＢＬＥの電波を送信及び受信する無線ユニットである。通信部２３は、通信端末１が送信する電波を受信し、受信した電波により送信されたデータを抽出して受信制御部２５３に入力する。また、通信部２３は、通信端末１から受信した電波の強度を示す受信強度情報を出力する。さらに、通信部２３は、送信制御部２５４から入力された送信データを電波に乗せて送信する。
【００３８】
記憶部２４は、ＲＯＭ（Read Only Memory）及びＲＡＭ（Random Access Memory）を含む記録媒体である。記憶部２４は、制御部２５が実行するプログラム、及び制御部２５がプログラムを実行する際に用いるデータを記憶する。
【００３９】
制御部２５は、例えばＣＰＵ（Central Processing Unit）である。制御部２５は、記憶部２４に記憶されたプログラムを実行することにより、操作受付部２５１、表示制御部２５２、受信制御部２５３及び送信制御部２５４として機能する。
【００４０】
操作受付部２５１は、操作部２１において入力されたユーザの操作を受け付ける。操作受付部２５１は、例えば、表示部２２に表示されているコンテンツに対する操作を受け付けて、受け付けた操作の内容を表示制御部２５２に通知する。
表示制御部２５２は、表示部２２に表示する画面のデータを生成し、生成したデータを表示部２２に入力することにより、表示部２２を制御する。
【００４１】
受信制御部２５３は、通信部２３を介して、通信端末１が送信したデータを受信する。受信制御部２５３は、例えば、通信端末１が送信したアクセス先情報Ｃを受信する。また、受信制御部２５３は、送信制御部２５４がアクセス先情報Ｃに対応するサーバ３にアクセスした後に、サーバ３からの応答を受信する。
【００４２】
送信制御部２５４は、通信部２３を介してデータを送信する。送信制御部２５４は、例えば、通信端末１から受信したアクセス先情報Ｃに対応するコンテンツを表示部２２に表示させるために、コンテンツを要求するメッセージを、アクセス先情報Ｃに対応するサーバ３に送信する。
【００４３】
［共有操作の動作フローチャート］
図５は、通信端末１が共有操作をする際の動作フローチャートである。
図５に示すフローチャートは、通信端末１が、アクセス先情報Ｃを含む情報として電子メールを受信したところから開始している（Ｓ１１）。通信端末１は、電子メールを受信すると、受信した電子メールを表示部１２に表示する（Ｓ１２）。
【００４４】
通信端末１は、電子メールを表示部１２に表示させた状態で、アクセス先情報Ｃを通信端末２と共有するための操作が行われるかどうかを監視する（Ｓ１３）。通信端末１は、ユーザが共有操作を行ったことを検出した場合（Ｓ１３においてＹＥＳ）、通信端末２と通信可能であるか否かを判定する（Ｓ１４）。
【００４５】
通信端末１は、通信端末２と通信可能であると判定した場合（Ｓ１４においてＹＥＳ）、アクセス先情報Ｃを送信する条件が満たされているか否かを判定する（Ｓ１５）。通信端末１は、アクセス先情報Ｃを送信する条件が満たされている場合（Ｓ１５においてＹＥＳ）、アクセス先情報Ｃを通信端末２に送信する（Ｓ１６）。
通信端末１は、ステップＳ１３、Ｓ１４、Ｓ１５のいずれかにおいてＮＯと判定した場合、アクセス先情報Ｃを通信端末２に送信しない。
【００４６】
［アクセス先情報Ｃを送信する条件］
以下、通信端末１がアクセス先情報Ｃを送信する条件の例について説明する。
【００４７】
（条件例１）
送信制御部１５４は、共有操作を受け付けた時点又はそれより前の所定の期間内に無線通信回線Ｗを介して通信端末２と通信した履歴がある場合に、アクセス先情報Ｃを通信端末２に対して送信する。このような処理をするために、受信制御部１５３及び送信制御部１５４は、通信端末２との間でデータの送受信をした場合に、データの送受信をした時刻を示す通信履歴情報を記憶部１４に記憶させる。
【００４８】
送信制御部１５４は、共有操作を受け付けた場合に、記憶部１４に記憶された通信履歴情報を参照し、直近の所定の期間内に通信端末２と通信した履歴が含まれていることを条件として、アクセス先情報Ｃを通信端末２に送信する。直近の所定の期間内に通信端末１が無線通信回線Ｗを介して通信端末２と通信していた場合、通信端末２が、通信端末１のユーザの近くにある可能性が高いので、通信端末１がアクセス先情報Ｃを通信端末２に送信することにより、ユーザが通信端末２でコンテンツを閲覧できる可能性が高い。
【００４９】
（条件例２）
送信制御部１５４は、通信端末２の位置を示す位置情報を定期的に取得し、共有操作を受け付けた時点又はそれより前の所定の期間内の位置情報が、通信端末１の位置から所定の範囲内の位置（例えば、同一の位置）を示している場合に、アクセス先情報Ｃを送信することとしてもよい。このようにすることで、通信端末１は、通信端末２が通信端末１の近傍にある場合に限定してアクセス先情報Ｃを通信端末２に送信することができる。
【００５０】
（条件例３）
送信制御部１５４は、通信端末２が操作されていることを示す情報を定期的に取得し、共有操作を受け付けた時点又はそれより前の所定の期間内に通信端末２が操作されていた履歴がある場合に、アクセス先情報Ｃを通信端末２に送信することとしてもよい。共有操作を受け付けた時点より前の所定の期間内に通信端末２が操作されていた場合、通信端末１のユーザの近傍に通信端末２が存在する可能性が高い。したがって、このようにすることで、通信端末１は、通信端末２が通信端末１の近傍にある場合に限定してアクセス先情報Ｃを通信端末２に送信することができる。
【００５１】
（条件例４）
送信制御部１５４は、アクセス先情報Ｃが、過去に通信端末２で閲覧したコンテンツに関連している場合に、アクセス先情報Ｃを通信端末２に送信することとしてもよい。例えば、通信端末１は、通信端末２が過去に閲覧したコンテンツのアクセス先情報を定期的に取得して、記憶部１４に記憶しておく。そして、送信制御部１５４は、共有操作が行われたことに応じて記憶部１４を参照し、過去に通信端末２において、電子メールに含まれているアクセス先情報Ｃに対応するコンテンツを閲覧したことがあるか否かを確認する。送信制御部１５４は、例えば、通信端末２が、電子メールに含まれているアクセス先情報Ｃが示すドメインと同一のドメインのサーバ３にアクセスした履歴がある場合に、アクセス先情報Ｃを通信端末２に送信する。
【００５２】
また、送信制御部１５４は、アクセス先情報Ｃが、過去に通信端末２で閲覧したコンテンツと同じ種別のコンテンツにアクセスすることを示している場合に、アクセス先情報Ｃを通信端末２に送信することとしてもよい。例えば、通信端末１は、過去に通信端末２で閲覧したコンテンツがＪＰＥＧ画像であり、アクセス先情報Ｃが示すコンテンツもＪＰＥＧ画像である場合に、アクセス先情報Ｃを通信端末２に送信する。このようにすることで、通信端末１は、ユーザが通信端末２で閲覧したいと考えている可能性が高いコンテンツに対応するアクセス先情報Ｃを通信端末２に送信することができる。
【００５３】
（条件例５）
送信制御部１５４は、アクセス先情報Ｃに関連付けられたコンテンツが通信端末２での閲覧に適している場合に、アクセス先情報Ｃを通信端末２に送信することとしてもよい。例えば、通信端末１は、通信端末２の画面が大きく、静止画や動画のコンテンツの閲覧に適しており、かつアクセス先情報Ｃが静止画や動画のコンテンツに対応している場合に、アクセス先情報Ｃを通信端末２に送信する。
【００５４】
この場合、記憶部１４は、通信端末２の仕様を示す端末情報を記憶する。例えば、記憶部１４は、通信端末２の画面の大きさ、ＣＰＵの種別又は処理速度等の通信端末２のハードウェア性能や、通信端末２にインストールされているアプリケーションソフトの種別などを示す端末情報を記憶する。そして、送信制御部１５４は、アクセス先情報Ｃの内容と、記憶部１４に記憶された端末情報と、に基づいて、アクセス先情報Ｃに関連付けられたコンテンツが通信端末２での閲覧に適しているか否かを判定する。
【００５５】
すなわち、送信制御部１５４は、端末情報に基づいて、通信端末２が、アクセス先情報Ｃに対応するコンテンツを十分な品質で再生することが可能であるか否かを判定する。送信制御部１５４は、通信端末２が、アクセス先情報Ｃに対応するコンテンツを十分な品質で再生できると判定した場合に、アクセス先情報Ｃを通信端末２に送信する。このようにすることで、ユーザは、通信端末２での閲覧に適したコンテンツを通信端末２で閲覧することが可能になる。
【００５６】
また、送信制御部１５４は、アクセス先情報Ｃに対応するサーバ３からコンテンツを取得した後に、取得したコンテンツの内容と、記憶部１４に記憶された端末情報と、に基づいて、アクセス先情報に関連付けられたコンテンツが通信端末２での閲覧に適しているか否かを判定してもよい。このようにすることで、通信端末１が、アクセス先情報Ｃに対応するコンテンツが通信端末２での閲覧に適しているか否かを高い精度で判定することが可能になる。
【００５７】
［本実施形態における効果］
本実施形態における通信端末１は、コンテンツにアクセスするためのＵＲＬ等のアクセス先情報Ｃを含む電子メールを表示した状態で共有操作が行われた時点で、ＢＬＥで通信可能な通信端末２にアクセス先情報を送信するための条件が満たされていると判定した場合に、通信端末２に対して、ＢＬＥを介してアクセス先情報Ｃを送信する。そして、通信端末２は、受信したアクセス先情報Ｃに対応するサーバ３からコンテンツを取得して表示する。このようにすることで、通信端末１と通信端末２を所有するユーザは、画面が小さい通信端末１でＵＲＬを含む電子メールを受信した場合に、簡単な操作で、大きな画面を有する通信端末２で、ＵＲＬに対応するコンテンツを大きく表示して閲覧することが可能になる。したがって、ユーザは、コンテンツを快適に閲覧することができる。
【００５８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００５９】
１  通信端末
２  通信端末
３  サーバ
１１  操作部
１２  表示部
１３  通信部
１４  記憶部
１５  制御部
２１  操作部
２２  表示部
２３  通信部
２４  記憶部
２５  制御部
１５１  操作受付部
１５２  表示制御部
１５３  受信制御部
１５４  送信制御部
２５１  操作受付部
２５２  表示制御部
２５３  受信制御部
２５４  送信制御部
【図１】
0006524005.tif 000002
【図２】
0006524005.tif 000003
【図３】
0006524005.tif 000004
【図４】
0006524005.tif 000005
【図５】
0006524005.tif 000006